(57)【特許請求の範囲】
【請求項１】
前面シートと、前面電極と、無機材料を含む誘電体層と、を有する前面アセンブリであって、前記前面電極は、前記前面シートと前記誘電体層との間に配置され、前記前面シートは更に、少なくとも１つの凸状突起を含む、前記前面アセンブリと、
前記前面アセンブリとともにギャップを形成する背面アセンブリであって、バックプレーン及び背面電極を有し、前記背面電極は前記誘電体層と対向して配置される、前記背面アセンブリと、
前記ギャップ内にある液状媒体と、
前記液状媒体内に分散した、正の電荷を帯び光を吸収する複数の電気泳動可動粒子と、負の電荷を帯び光を吸収する複数の電気泳動可動粒子と、
を備える全内部反射（ＴＩＲ）画像ディスプレイ。
【請求項２】
前記背面電極は更に、薄膜トランジスタアレイ、直接駆動アレイ、又は電極のパターン化アレイ、又はこれらの組合せを備える、請求項１に記載の全内部反射画像ディスプレイ。
【請求項３】
横断壁を更に備える、請求項１または請求項２に記載の全内部反射画像ディスプレイ。
【請求項４】
スペーサ構造物を更に備える、請求項１から３のいずれか１項に記載の全内部反射画像ディスプレイ。
【請求項５】
前記背面アセンブリは更に、前記背面電極上に誘電体層を備える、請求項１から４のいずれか１項に記載の全内部反射画像ディスプレイ。
【請求項６】
指向性前面照明を更に備える、請求項１から５のいずれか１項に記載の全内部反射画像ディスプレイ。
【請求項７】
色フィルタ層を更に備える、請求項１から６のいずれか１項に記載の全内部反射画像ディスプレイ。
【請求項８】
エッジ封止材を更に備える、請求項１から７のいずれか１項に記載の全内部反射画像ディスプレイ。
【請求項９】
前記凸状突起は半球状構造を画定する、請求項１から８のいずれか１項に記載の全内部反射画像ディスプレイ。
【請求項１０】
前記凸状突起は、前記複数の、負又は正の電荷を帯びた粒子を均一に分散させるように構成された構造を画定する、請求項１から９のいずれか１項に記載の全内部反射画像ディスプレイ。
【請求項１１】
前記正の電荷を帯び光を吸収する複数の電気泳動可動粒子は第１の光学特性を有し、前記負の電荷を帯び光を吸収する複数の電気泳動可動粒子は第２の光学特性を有する、請求項１から１０のいずれか１項に記載の全内部反射画像ディスプレイ。
【請求項１２】
全内部反射画像ディスプレイを暗い状態から明るい状態に切り替える方法であって、
第１の非ゼロ電圧を印加することにより、第１の電荷及び第１の光学特性を有し光を吸収する、複数の第１の電気泳動帯電粒子を、前記ディスプレイの前面シートの表面に引き付けて、暗い状態を形成するステップと、
実質的にゼロの電圧又は電圧パルスを印加することにより、前記第１の電荷及び前記第１の光学特性を有する、前記第１の複数の電気泳動帯電粒子と、第２の電荷及び第１の光学特性を有し光を吸収する、複数の第２の電気泳動帯電粒子とを、前記ディスプレイの前記前面シートの前記表面から遠ざけて、明るい状態を形成するステップと、
第２の非ゼロ電圧を印加することにより、前記第２の電荷及び前記第１の光学特性を有する、前記第２の複数の電気泳動帯電粒子を、前記ディスプレイの前記前面シートの前記表面に引き付けて、暗い状態を形成するステップと、
を含む方法。
【請求項１３】
全内部反射画像ディスプレイを第１の光学状態から明るい状態に切り替え、第２の光学状態に切り替える方法であって、
第１の非ゼロ電圧を印加することにより、第１の電荷及び第１の光学特性を有し光を吸収する、第１の複数の電気泳動帯電粒子を、前記ディスプレイの前面シートの表面に引き付けて、第１の光学状態を形成するステップと、
実質的にゼロの電圧又は電圧パルスを印加することにより、前記第１の電荷及び前記第１の光学特性を有する、前記第１の複数の電気泳動帯電粒子と、反対の電荷及び第２の光学特性を有し光を吸収する、複数の第２の電気泳動帯電粒子とを、前記ディスプレイの前記前面シートの前記表面から遠ざけて、明るい状態を形成するステップと、
第２の非ゼロ電圧を印加することにより、前記複数の第２の電気泳動帯電粒子を、前記ディスプレイの前記前面シートの前記表面に引き付けて、第２の光学状態を形成するステップと、
を含む方法。
【発明の詳細な説明】
【技術分野】
【０００１】
本出願は、２０１４年５月１２日に出願された米国仮特許出願第６１／９９２，０９５号明細書の出願日利益を主張するものであり、この出願の全内容は参照により本明細書に組み込まれている。
【０００２】
本開示は、全般的には、高輝度、広視野角のディスプレイにおける全内部反射（ＴＩＲ）のフラストレーションに関する。具体的には、本開示の実施形態は、相反する電荷を帯びた粒子で構成される直流（ＤＣ）平衡式全内部反射ディスプレイに関する。
【背景技術】
【０００３】
典型的には、従来の全内部反射（ＴＩＲ）画像ディスプレイにおける光変調は、前面シートの表面のエバネッセント波領域を出入りする電気泳動可動粒子の動きによって制御される。前面シートは、光を全内部反射することが可能な、凸状突起などの複数の構造物で構成されてよい。前面シートは、典型的には、透明な電極層を更に含む。背面シートは、背面電極層を含んでよい。液体中に懸濁している電気泳動可動粒子からなる電気泳動媒体が、前面シートと背面シートとの間に配置される。電気泳動可動粒子は、電圧が印加されることによって、電気泳動媒体内を移動する。典型的には、これらの粒子は、正又は負のいずれかの電荷を帯び、単一光学特性を有する。
【発明の概要】
【発明が解決しようとする課題】
【０００４】
これらの粒子がディスプレイの動作中に前面又は背面の電極に電気泳動的に移動すると、ディスプレイは、直流（ＤＣ）不平衡モードで動作していることになる。反対側の、又は相反する電極に反対の極性の電圧が印加されることが、潜在的にディスプレイ部品の劣化を引き起こし、従って、ディスプレイの寿命を短くし、ユーザエクスペリエンスを損ねる可能性がある。
【０００５】
本開示のこれらの実施形態及び他の実施形態について、以下の例示的且つ非限定的な図面を参照して説明する。これらの図面において、類似の要素には類似の参照符号が付けられている。
【図面の簡単な説明】
【０００６】
【図１Ａ】暗い状態における、相反する電荷を帯びた粒子を含む反射画像ディスプレイを概略的に示す図である。
【図１Ｂ】高輝度状態における、相反する電荷を帯びた粒子を含む反射画像ディスプレイを概略的に示す図である。
【図１Ｃ】暗い状態における、相反する電荷を帯びた粒子を含む反射画像ディスプレイを概略的に示す図である。
【図２】本開示の一実施形態による、図１（Ａ〜Ｃ）に描かれたディスプレイの動作を表すグラフである。
【図３】電圧バイアス依存の暗い状態、灰色状態、及び高輝度状態を引き起こす方法を概略的に示す図である。
【図４】電圧バイアス依存の暗い状態、灰色状態、及び高輝度状態を引き起こす方法を概略的に示す図である。
【図５Ａ】第１の光学状態における、光学特性が異なる帯電粒子を有する反射画像ディスプレイを概略的に示す図である。
【図５Ｂ】明るい状態における、光学特性が異なる帯電粒子を有する反射画像ディスプレイを概略的に示す図である。
【図５Ｃ】第２の光学状態における、光学特性が異なる帯電粒子を有する反射画像ディスプレイを概略的に示す図である。
【図６】本開示の実施形態による一例示的方法を示す図である。
【発明を実施するための形態】
【０００７】
当業者のより深い理解が得られるように、以下の説明全体を通して、具体的な詳細を示している。しかしながら、本開示が無用に不明瞭になることを避ける為に、よく知られている要素については図示又は詳細な説明をしていない場合がある。従って、本明細書の記載及び図面は、限定的ではなく例示的であると見なされたい。
【０００８】
特定の実施形態では、本開示は、ＤＣ平衡二粒子ＴＩＲ画像ディスプレイを提供する。非ゼロ電圧バイアスの印加により、ＴＩＲをフラストレートして光吸収状態又は暗い状態を生成する為に、実質的に同一の運動性及び実質的に同一の光学特性（即ち、色）を有する、相反する電荷を帯びた電気泳動可動粒子が使用される。
【０００９】
特定の実施形態では、ＤＣ平衡式という用語は、２つ以上の相反する電極が実質的に同一の電荷を帯びることを意味してよい。従って、或る粒子が前面電極に移動した場合は、電荷を平衡させる為に、別の１つ（又は複数）の粒子が、反対の電荷を帯びた電極に移動しなければならない。一粒子ディスプレイの場合は、いかなる時点においても、電極がどのようにバイアスされているかに応じて、１つの粒子だけが一方の電極から他方の電極に移動する。本開示の特定の実施形態では、電極がどのようにバイアスされているかに応じて、２つ（又は複数）の粒子が移動する。
【００１０】
特定の実施形態では、粒子の光学特性は、粒子の色として定義されてよい。色は、ディスプレイを見ている裸眼が知覚できてよい。光学特性という用語及び色という用語は、区別なく使用されてよい。粒子の色又は光学特性は、粒子が光を吸収又は反射する性質の結果であってよい。本開示の原理から逸脱しない限り、粒子の他の光学特性が使用されてもよい。
【００１１】
特定の実施形態では、ＤＣ平衡式ディスプレイには、第１の電荷を帯びた電気泳動可動粒子を一方の電極に引き付けると、反対の電荷を帯びた電気泳動可動粒子も反対の電極に引き付けられてよいディスプレイが含まれてよい。非ゼロ電圧バイアスを印加することにより、反対の電荷を帯びた粒子を１つ以上、反対の電極に移動させることが可能である。特定の実施形態では、相反する電荷を帯びた粒子同士の光学特性又は色が実質的に同一であると、ＤＣ平衡が光学状態の変化を引き起こさない可能性がある。
【００１２】
例示的一実装形態では、電極間に０Ｖが印加されると、両種類の粒子が、ディスプレイの前面のエバネッセント波領域から移動する。これによって、全内部反射（ＴＩＲ）のフラストレーションが防がれ、ディスプレイが高輝度状態又は白色状態になる。高輝度状態は、ディスプレイの明るい状態とも称されてよい。電圧の連続体を印加することにより、灰色状態の連続体を達成することが可能である。この電圧の連続体は、明るい状態と暗い状態との間になるように構成されてよい。更に、本明細書に記載のＤＣ平衡式システムは、ＬＣＤ型の（又は他の同様の）ディスプレイシステムで利用されている既存の駆動用電子回路と直接互換であってよい。これにより、一粒子ＴＩＲ画像ディスプレイの場合に必要とされた、適切な駆動用電子回路の開発での大きな投資を行わずに済む。更に本明細書では、本開示の原理を使用する多色ディスプレイの実施形態についても説明する。
【００１３】
２種類の帯電粒子（負の電荷を帯びた粒子と正の電荷を帯びた粒子）を有するディスプレイに関して例示的実施形態を説明するが、本開示の原理はこれに限定されないことに留意されたい。ディスプレイ内に平衡電荷を実質的に与える別の実施形態が、３種類以上の帯電粒子（例えば、蓄積すると全電荷が平衡する、より強い電荷を帯びた粒子と、より弱い電荷を帯びた粒子）を含むように形成されてよい。
【００１４】
図１Ａから図１Ｃは、様々な動作状態における、相反する電荷を帯びた粒子を含む反射画像ディスプレイの一部分を描いたものである。具体的には、図１Ａから図１Ｃの実施形態は、正の電荷を帯びた複数の粒子と負の電荷を帯びた複数の粒子とを含むＤＣ平衡式ＴＩＲディスプレイシステムを概略的に示している。これらの帯電粒子は、参照しやすいように、負又は正の粒子としてマーキングされている。これらの粒子の光学特性（例えば、色）は、実質的に同一又は同等であってよい。本開示の一実施形態では、電気泳動移動度、拡散率、直径、及び光吸収断面の大きさは、正の粒子の場合も負の粒子の場合も実質的に同等となる。そのような実施形態は、両方の極性において画像応答が実質的に同等であることを可能し、これによって、両方の極性の同じ電圧が印加された場合に、その電圧の大きさに対する光吸収量の変化が確実に同等になる。
【００１５】
図１Ａから図１Ｃを参照すると、ディスプレイ１００が、ギャップ又はキャビティによって隔てられた上部アセンブリ１０２及び下部アセンブリ１０４を含む。上部アセンブリは、少なくとも１つの表面構造、例えば、凸状又は半球状の突起１０８を含む前面シート１０６を含む。半球状突起１０８は、光線を全内部反射することが可能な起伏面を形成する。凸状部分は、正又は負の電荷を帯びた複数の粒子をディスプレイの１つ以上の領域に集中させるように構成された構造を画定してよい。別の実施形態では、凸状部分は更に、正又は負の電荷を帯びた複数の粒子を前面シートの表面上に実質的に均一に分散させるように構成された構造を画定してよい。
【００１６】
上部アセンブリは更に、前面透明電極層１１０を含み、これは、半球状アレイ１０８の表面上に配置されてよい。透明電極層１１０は、インジウム・スズ酸化物（ＩＴＯ）、又は金属ナノワイヤ（例えば、銀ナノワイヤ）の薄層、又は導電ポリマー、又はこれらの組合せを含んでよい。
【００１７】
上部アセンブリ１０２は更に、前面電極層１１０の上に配置された誘電体層１１２を含んでよい。誘電体層１１２は、有機材料（例えば、ポリマー）、無機材料、又はこれらの組合せを含んでよい。誘電体層では、パリレン族ポリマーが使用されてよい。一実施形態では、誘電体層は、概ねコンフォーマル且つピンホールフリーである。
【００１８】
図１Ａから図１Ｃの実施形態では、ディスプレイ１００の下部アセンブリ１０４はバックプレーン１１４を含み、バックプレーン１１４は、背面電極として動作する上部電極層１１６を有する。電極層１１６は、薄膜トランジスタ（ＴＦＴ）アレイ、直接駆動アレイ、又は電極のパターン化アレイを含んでよい。電極層１１６は金属で作られてよく、例えば、銅、アルミニウム、金、又は銀で作られてよい。電極層１１６は、ポリマーマトリックス形式の導電粒子（例えば、ナノワイヤ又はナノ粒子）で作られてよい。図示されていないが、誘電体層は、背面電極層を保護し、粒子粘着を実質的に解消する為に、任意選択で、背面電極に貼り付けられてよい。
【００１９】
誘電体層１１２と背面電極層１１６との間に形成されたギャップ又はキャビティに、低屈折率の液状媒体１１８が配置される。液状媒体１１８は、分散光を吸収する、負の電荷を帯びた複数の粒子１２０と、分散光を吸収する、正の電荷を帯びた複数の粒子１２２と、を受け入れることが可能である。低屈折率の媒体として、フルオロ液があってよく、例えば、Ｆｌｕｏｒｉｎｅｒｔ（商標）ＦＣ−７７０、ＦＣ−４３、ＦＣ−７５、Ｎｏｖｅｃ（商標）６４９又は７５００があってよい。
【００２０】
外部電圧源（図示せず）によって媒体１１８全体に電界を印加することにより、粒子１２０及び１２２を電気泳動的に移動させることが可能である。粒子１２０、１２２は、有機材料、又は無機材料、又は有機材料と無機材料の組合せから作られてよい。一例示的実施形態では、相反する電荷を帯びた粒子同士の光吸収の光学特性及び性質が実質的に同一であってよい。
【００２１】
例えば、図１Ａに描かれるように、前面電極層１１０に、正の電圧バイアス（例えば、＋１０Ｖ）が、十分な継続時間（例えば、５〜１０ミリ秒）にわたって印加されると、負の電荷を帯びた粒子１２０が前面電極１１０に引き付けられる。ＴＩＲがフラストレートされて、相対反射率が低下し、一方、正の電荷を帯びた電気泳動可動粒子１２２が、背面電極層１１６に引き付けられ、背面電極層１１６に向かって移動する。入射光線、例えば、典型的な光線１２４が、前面誘電体層１１２にある負の電荷を帯びた粒子によって吸収され、これによって、画像ディスプレイは暗い状態になる。更に、ディスプレイ１００は、ＤＣ平衡モードで動作していてよい。画像シーケンシング中のディスプレイ装置において、負の電荷を帯びた光吸収粒子を駆動する正電圧の累積時間と、正の電荷を帯びた光吸収粒子を駆動する負電圧の累積時間と、は実質的に同一である。
【００２２】
従来の電気泳動ディスプレイでは、画像シーケンスで駆動シーケンスを制御することが可能である。画像シーケンスによっては、正の駆動時間と負の駆動時間とを平衡させることができない場合がある。その結果、ディスプレイ装置内に分極が発生する場合があり、これは、その後の画質を害する可能性がある。本開示の実施形態は、この欠点及び他の欠点を克服する為に、いかなる画像シーケンスに対してもＤＣ平衡駆動シーケンスを使用できるように、画像シーケンスを駆動シーケンスから切り離すことを可能にする。
【００２３】
図１Ｂは、０Ｖ（図示せず）が印加され、その結果として、ディスプレイが高輝度状態又は白色状態（明るい状態と称されてもよい）になった様子を示している。０Ｖにおいては、負の電荷を帯びた電気泳動可動粒子１２０が、前面電極１１０の近くのエバネッセント波領域から遠ざかることにより、複数の半球状突起１０８の表面において光線の全内部反射の発生が可能になり、これにより画像ディスプレイが明るい状態になる。図１Ｂでは、ＴＩＲは、入射光線１２６が全内部反射されて光線１２８となり、半再帰反射として光源に戻る形で示されている。図１Ｂは、更に、正の電荷を帯びた粒子１２２が背面電極１１６から遠ざかる様子を示している。
【００２４】
更に別の実施形態では、いわゆる電圧パルス印加によって、ディスプレイが高輝度状態又は白色状態になり、これが維持されることが可能である。電気泳動可動粒子１２０は、まず、適切な電圧の印加によって、エバネッセント波領域から出されることが必要である。例えば、ディスプレイ１００が、図１Ａに描かれた状態、即ち、帯電粒子が電極１１０及び１１６に沿って並ぶ状態であるとする。更に、背面電極層１１６に＋１０Ｖバイアスが印加され、前面電極層１１０に−１０Ｖバイアスが印加されてから、正の電荷を帯びた粒子１２２が背面電極１１６から前面電極１１０まで移動するのに約２０ミリ秒かかるとする。また、負の電荷を帯びた粒子１２０が前面電極１１０から背面電極１１６まで移動するのに約２０ミリ秒かかるとする。最初に、背面電極に約＋１０Ｖ、前面電極に約−１０Ｖを約１０ミリ秒の継続時間にわたって印加すると、負の電荷を帯びた粒子１２０がエバネッセント波領域から出て、前面電極と背面電極との間のほぼ中程まで移動する。これにより、入射光線のＴＩＲの結果として、ディスプレイが白色状態又は高輝度状態になる。次に、その後に、相反する極性であって継続時間の短い交番電圧による電圧パルス印加を行うことにより、ディスプレイ１００の安定した高輝度状態を維持することが可能である。
【００２５】
例えば、一例示的電圧パルス印加方法では、＋５Ｖを５ミリ秒、その後、−５Ｖを５ミリ秒印加してよい。このパルス印加方法は、指定された継続時間にわたって続けることが可能である。様々な時間長に対するパルス長は、目的及び所望の結果に応じて様々であってよい。
【００２６】
別の例示的実施形態では、少なくとも約１ナノ秒のパルス長が使用されてよい。エネルギを節約する為に、各パルスの間の、パルス以外の時間長を様々にすることが行われてよい。極性、電圧の大きさ、電圧パルス継続時間、電圧パルス以外の継続時間が様々である、非限定的な多様なパルス電圧が、ディスプレイ、媒体１１８の粘度、前面電極と背面電極との間のギャップ距離、粒子上の電荷の大きさ及び濃度、粒子の移動度、及び所望の目的に応じて使用されてもよい。
【００２７】
図１Ｃは、その後の、図１Ａの装置の暗い状態を示す。図１Ｃに示されるように、負の電圧バイアス、例えば、−１０Ｖを前面電極１１０に印加すると、正の電荷を帯びた粒子１２２が、前面電極１１０に引き付けられ、前面電極１１０に向かって移動する。この状態では、粒子１２２は、半球状面の近くに集まり、エバネッセント波領域に入ってＴＩＲをフラストレートする。この結果、画像ディスプレイは、光を吸収する暗い状態になる。この、光を吸収する暗い状態は、図１Ｃでは、入射光線１３０が、光を吸収する、正の電荷を帯びた粒子１２２によって吸収される形で示されている。図１Ｃに概略的に示されるように、負の電荷を帯びた粒子１２０は、背面電極１１６に引き付けられる。図１Ａ及び図１Ｃに示されるように、十分な継続時間の非ゼロ電圧（例えば、＋１０Ｖ又は−１０Ｖ）を媒体１１８全体に印加すると、粒子は前面電極層及び背面電極層に引き付けられる。この粒子の引き付けの結果として、ＴＩＲがフラストレートされて、画像ディスプレイが暗い状態になるのみならず、ディスプレイがＤＣ平衡状態になる。
【００２８】
図２は、図１（Ａ〜Ｃ）の間のディスプレイの相対反射率の関係を示すグラフである。具体的には、図２は、正の電荷を帯びた粒子と負の電荷を帯びた粒子の両方を有する二粒子ＴＩＲ式ディスプレイの全内部反射及び光吸収の電圧バイアス依存性を示す。図２では、ｘ軸は、測定が実施されていた時間であり、ｙ軸は、結果としての相対反射率の測定値である。反射率の測定値は、暗い部屋で、鏡面光線がマスクされるように、環状照明が、サンプルの表面に垂直な方向に対して約５度から約３０度の角度でサンプルを照らすことによって取得されてよい。輝度のベースラインとして、Ｌａｂｓｐｈｅｒｅ  Ｓｐｅｃｔｒａｌｏｎ  ＳＲＳ−９９−０２０、ＡＳ−０１１６１−０６０などの反射率標準が使用されてもよい。反射率を測定する為に、Ｔｏｐｃｏｎ  ＢＭ−９などの輝度計が使用されてよい。
【００２９】
前面電極１１０及び液状媒体１１８全体に＋１０Ｖを印加すると、相対反射率は低下する（図２、＋１０Ｖの見出しの下の実線）。これは、負の電荷を帯びた粒子１２０が、複数の半球状突起の表面に隣接する前面電極及び誘電体層に引き付けられた結果である。ここで、負の電荷を帯びた粒子１２０がディスプレイ１００のエバネッセント波領域に入ると、ＴＩＲがフラストレートされる（図１Ａを参照）。電圧パルス印加が後に続く、指定されたパルス時間の０Ｖ又は負電圧バイアスが印加されると、図１Ａの負の電荷を帯びた粒子１２０がエバネッセント波領域から出て遠ざかり、入射光線のＴＩＲによって明るい状態になる。図２に示されるように、相対反射率は上昇する（０Ｖの見出しの下の実線）。前面電極に負電圧バイアス、例えば、−１０Ｖを印加すると、正の電荷を帯びた粒子１２２が前面電極１１０に向かって、半球の近くに移動し、ＴＩＲがフラストレートされて、相対反射率が低下する（図２、−１０Ｖの見出しの下の点線）。これによって、画像ディスプレイ１００が暗い状態になる（図１を参照）。前面電極に０Ｖ又は正電圧バイアスが印加されると、正の電荷を帯びた粒子１２２がエバネッセント波領域から遠ざかり、図２の０Ｖの見出しの下の点線で示されるように相対反射率が上昇する為、入射光線のＴＩＲによって高輝度状態になる。本明細書において既述の電圧パルス印加により、高輝度状態又は明るい状態の安定を維持することが可能である。
【００３０】
図３は、ディスプレイ２００を電圧バイアス依存の暗い状態、灰色状態、及び高輝度状態にする方法を概略的に示す。図３の画像ディスプレイ２００は、図１のディスプレイ１００に関して説明された黒色状態、白色状態、及び灰色状態を描写する、相反する電荷を帯びた粒子を含む。ディスプレイ２００は、ギャップ又はキャビティによって隔てられた上部アセンブリ２０２及び下部アセンブリ２０４を含む。ギャップ（図示せず）の領域が、エバネッセント領域を画定してよい。一実施形態では、半球状面の近くのギャップ内の領域がエバネッセント領域である。
【００３１】
上部アセンブリ２０２は、少なくとも１つの表面構造、例えば、光線を全内部反射することが可能な凸状又は半球状の突起２０８を有する前面シート２０６と、半球状突起の表面上に配置された前面透明電極層２１０と、前面電極層２１０の上に配置された誘電体層２１２と、を含む。図示されていないが、誘電体層は、任意選択で、背面電極に貼り付けられてよい。図３Ａから図３Ｃは、ディスプレイ２００の下部アセンブリ２０４を示しており、下部アセンブリ２０４は更にバックプレーン２１４を含み、バックプレーン２１４は、背面電極として動作する上部電極層２１６を有する。電極層２１６は、薄膜トランジスタ（ＴＦＴ）アレイ、直接駆動アレイ、又は電極のパターン化アレイを含んでよい。上部アセンブリ２０２と下部アセンブリ２０４との間に配置されたギャップ２１８に、液状媒体２１８が配置されてよい。一実施形態では、液状媒体２１８は低屈折率である。媒体２１８は、分散光を吸収する、負の電荷を帯びた複数の粒子２２０と、分散光を吸収する、正の電荷を帯びた複数の粒子２２２と、を含んでよい。ディスプレイ２００は更に、電圧源（図示せず）を含んでよい。
【００３２】
本開示の二粒子ＴＩＲ式反射ディスプレイ２００は、ＤＣ平衡灰色状態レベルを生成することが可能である。図３の実施形態では、前面電極層２１０にバイアス（−１０Ｖ）を印加すると、正の電荷を帯びた粒子２２２が、複数の半球状突起２０８の起伏面の近くの前面電極２１０及び誘電体層２１２に引き付けられる。かなりの量の粒子２２２が、ＴＩＲをフラストレートし、画像ディスプレイ２００を暗い状態又は光を吸収する状態にすることが可能である。このことは、典型的な光線２３２が帯電粒子２２２によって吸収される形で示されている。負の電荷を帯びた粒子２２０が、ＤＣ平衡の為に＋１０Ｖでバイアスされている背面電極２１６に集まる。−１０Ｖは例示を目的としたものに過ぎず、これは他の任意の電圧であってよく、必要とされる電圧強度は、粒子表面の電荷密度、及び粒子移動度に依存することに留意されたい。
【００３３】
例えば、印加電圧を−１０Ｖから−５Ｖに減らすと、正の電荷を帯びた粒子２２２の一部がエバネッセント波領域から出る。その結果、光線の一部が吸収される。この状態は、典型的な光線２３４が粒子２２２に吸収される形で概略的に示されている。更に、入射光線２３６が全内部反射され、反射光線２３８として現れる形で表されるように、光線の一部は全内部反射される。従って、中間的な電圧が印加されて、光線の一部が吸収され、一部が反射されると、ディスプレイ２００には、灰色状態を含む反射画像が生成される。
【００３４】
印加電圧が０Ｖに近づくにつれて、より多くの光線が全内部反射される。これは、エバネッセント波領域から出る粒子の数が増える為である。０Ｖに達すると、正の電荷を帯びた粒子２２２のほぼ全てがエバネッセント波領域から出る可能性があり、その結果、ディスプレイは高輝度状態又は白色状態になる。このことは、入射光線２４０が全内部反射され、半再帰反射光線２４２として現れる形で示されている。一実施形態では、印加する非ゼロ電圧バイパスを、例えば、図３のディスプレイ２００に示されるように−１０Ｖから０Ｖまで減らすことにより、灰色状態レベルの連続体を生成することが可能である。本明細書に記載のように明るい状態又は高輝度状態を維持する為に、電圧パルス印加が用いられてもよい。
【００３５】
図４は、ディスプレイ３００を電圧バイアス依存の暗い状態、灰色状態、及び高輝度状態にする方法を概略的に示す。図４は更に、ＤＣ平衡システムにおける印加電圧バイアスの連続体に依存する、可能な灰色状態の連続体を示す。図４の画像ディスプレイ３００は、黒色状態、白色状態、及び灰色状態を描写する、相反する電荷を帯びた粒子を含み、ディスプレイ１００と同様である。ディスプレイ３００は、ギャップ又はキャビティによって隔てられた上部アセンブリ３０２及び下部アセンブリ３０４を含む。上部アセンブリは、少なくとも１つの表面構造、例えば、光線を全内部反射することが可能な凸状又は半球状の突起３０８を含む前面シート３０６と、半球状突起の表面上に配置された前面透明電極層３１０と、前面電極層３１０の上に配置された誘電体層３１２と、を含む。また、ディスプレイ３００に含まれる下部アセンブリ３０４は更にバックプレーン３１４を含み、バックプレーン３１４は、背面電極として動作する上部電極層１１６を有する。電極層３１６は、薄膜トランジスタ（ＴＦＴ）アレイ、直接駆動アレイ、又は電極のパターン化アレイを含んでよい。図示されていないが、誘電体層は、任意選択で、背面電極に貼り付けられてよい。上部アセンブリ３０２と下部アセンブリ３０４との間に配置されたギャップ３１８に、液状媒体３１８が配置されてよい。一実施形態では、媒体３１８は低屈折率である。媒体３１８は、分散光を吸収する、負の電荷を帯びた複数の粒子３２０と、分散光を吸収する、正の電荷を帯びた複数の粒子３２２と、を含む。ディスプレイ３００は更に、電圧源（図示せず）を含んでよい。
【００３６】
本開示の二粒子型ＴＩＲ反射ディスプレイ３００は、ＤＣ平衡灰色状態レベルを生成することが可能である。このシナリオでは、負の電荷を帯びた粒子３２０の実質的に全てが、前面電極３１０及び複数の半球３０８の近くの誘電体層３１２の表面の近くに集まることが可能なように、前面電極に＋１０Ｖを印加することが可能である。実質的に全ての入射光線が吸収されると、ディスプレイは暗い状態になる。このことは、典型的な入射光線３４０が、負の電荷を帯びた粒子３２０によって吸収される形で示されている。正の電荷を帯びた粒子３２２は、ＤＣ平衡の為に−１０Ｖが印加されている背面電極に集まる。印加電圧を、例えば、＋５Ｖまで減らすと、エバネッセント波領域から出る負の電荷を帯びた粒子３２０の数が増えるか、負の電荷を帯びた粒子３２０の連続体がエバネッセント波領域から出る。その結果、一部の入射光線、例えば、典型的な光線３４２が、表面に残っている光吸収粒子３２０によって吸収され、その一方で、一部の光線が全内部反射され、例えば、典型的な入射光線３４４が半再帰反射光線３４６として現れる。このように、吸収された光線と全内部反射された光線とが混ざり合ってＤＣ平衡した灰色状態になる。印加電圧を更に０Ｖまで減らすと、全ての粒子がエバネッセント波領域から出て遠ざかる。この粒子の移動によって、実質的に全ての入射光線が全内部反射されて明るい状態になる。このことは、典型的な光線３４８が半再帰反射光線３５０として現れる形で示されている。明るい状態は、本明細書に記載の電圧パルス印加によって維持することが可能である。
【００３７】
図１、図３、及び図４の実施形態では、異なる電荷を帯び、同一光学特性（例えば、黒色）を有する粒子が相反する電荷を帯びた電極に引き付けられる二粒子ＴＩＲ式ＤＣ平衡反射画像ディスプレイが示された。図３及び図４のディスプレイは、黒色状態と、白色状態と、可能な灰色状態の連続体とを表示することが可能な例示的実施形態である。図１、図３、及び図４の実施形態はまた、従来のＬＣＤ駆動用電子回路に適合するものであってよい。
【００３８】
別の実施形態では、図１、図３、又は図４に示された二粒子全内部反射画像ディスプレイ１００、２００、及び３００のうちのいずれかが、色フィルタアレイを更に含んでよい。色フィルタアレイは、赤、青、緑、又はシアン、マゼンタ、黄のサブピクセルを含んでよい。
【００３９】
別の実施形態では、図１、図３、又は図４に示された二粒子全内部反射画像ディスプレイ１００、２００、及び３００のうちのいずれかが、薄膜トランジスタアレイ、又は直接駆動アレイ、又は電極のパターン化アレイ、又はこれらの組合せを更に含んでよい。
【００４０】
別の実施形態では、図１、図３、又は図４に示された二粒子全内部反射画像ディスプレイ１００、２００、及び３００のうちのいずれかが、指向性前面照明を更に含んでよい。指向性前面照明は更に、光源、光ガイド、光抽出素子アレイ、又はこれらの組合せを含んでよい。光源は、発光ダイオード（ＬＥＤ）、冷陰極蛍光ランプ（ＣＣＦＬ）、又は表面実装技術（ＳＭＴ）による白熱灯であってよい。
【００４１】
別の実施形態では、図１、図３、又は図４に示された二粒子全内部反射画像ディスプレイ１００、２００、及び３００のうちのいずれかが、上部アセンブリと下部アセンブリとの間のギャップ間隔を制御する少なくとも１つのスペーサ構造物を更に含んでよい。スペーサ構造物は、限定はされないが、球体、ビード、立方体、円筒、又は角柱の形状であってよい。スペーサ構造は、限定はされないが、ポリマー、ガラス、金属、又は他の有機又は無機材料で構成されてよい。
【００４２】
別の実施形態では、図１、図３、又は図４に示された二粒子全内部反射画像ディスプレイ１００、２００、及び３００のうちのいずれかが、横断壁を更に含んでよい。横断壁は、粒子の移動や沈降を防ぐべく、粒子及び媒体を閉じ込める為のウェル又はコンパートメントをディスプレイ内に作成することに使用されてよい。このウェル又はコンパートメントは、円形、楕円形、正方形、長方形、菱形が規則的又は不規則に配列された形状であってよい。横断壁は、ガラス、ポリマー、又は他の有機又は無機材料で構成されてよい。
【００４３】
別の実施形態では、図１、図３、又は図４に示された二粒子全内部反射画像ディスプレイ１００、２００、及び３００のうちのいずれかが、少なくとも１つのエッジ封止材を更に含んでよい。ディスプレイの少なくとも１つのエッジに沿って、エッジ封止材が使用されてよい。このエッジ封止材の形成に使用される封止材料は、熱又は光化学で硬化する材料であってよい。エッジ封止材は、エポキシ、シリコン、又は他のポリマーベースの材料であってよい。
【００４４】
他の実施形態では、図１、図３、又は図４に示された二粒子全内部反射画像ディスプレイ１００、２００、及び３００のうちのいずれかが、薄膜トランジスタ、或いはパターン化又は直接駆動アレイ、指向性前面照明、色フィルタアレイ、少なくとも１つのスペーサ構造物又は横断壁、少なくとも１つのエッジ封止材、又はこれらの組合せを更に含んでよい。
【００４５】
本開示の実施形態は、暗い状態、明るい状態、及び灰色状態に限定されない。別の実施形態では、二粒子反射画像を修正することにより、色フィルタアレイを必要とせずに多色表示を生成することが可能である。例えば、負の電荷を帯びた粒子は、第１の光学特性（即ち、色）（例えば、赤）を有してよい。正の電荷を帯びた粒子は、第２の光学特性（例えば、黒）を有してよい。第３の白色光学状態は、複数の凸状又は半球状突起の表面における入射光線の全内部反射によって生成されてよい。
【００４６】
前面電極に正の電圧バイアスを印加することにより、負の電荷を帯びた赤の粒子を前面に引き付けて、ＴＩＲをフラストレートし、赤の画像状態を生成することが可能である。前面電極に負の電圧バイアスを印加することにより、正の電荷を帯びた黒の粒子を前面に引き付けて、ＴＩＲをフラストレートし、黒の画像状態を生成することが可能である。０Ｖを印加することにより、粒子をエバネッセント波領域から出させて、入力光線が全内部反射されることを可能にして、高輝度又は白色の画像状態を生成することが可能である。多様な色の粒子が使用されてよく、これらは、説明された赤及び黒に限定されない。
【００４７】
図５Ａから図５Ｃは、光学特性が異なる帯電粒子を有するディスプレイが様々な動作状態にある様子を概略的に示している。具体的には、図５Ａから図５Ｃは、様々な動作状態にある、ＤＣ平衡モードのＴＩＲ式ディスプレイ４００の一部分を描いたものである。画像ディスプレイ４００の設計は、図１Ａから図１Ｃのディスプレイ１００と実質的に同様であるが、異なる点として、第１の光学特性を有する、正の電荷を帯びた、第１の複数の粒子と、第２の光学特性を有する、負の電荷を帯びた、第２の複数の粒子と、の両方を含む。一実施形態では、電気泳動移動度及び拡散率の大きさは、光学特性が異なる正負の粒子の両方において実質的に同等であってよい。これにより、印加電圧の大きさに対して粒子の挙動が同様になるようにする為に、画像応答を両極性において同様にすることが可能である。
【００４８】
ディスプレイ４００は、ギャップ又はキャビティによって隔てられた上部アセンブリ４０２及び下部アセンブリ４０４を含む。上部アセンブリは、少なくとも１つの表面構造、例えば、光線を全内部反射することが可能な凸状又は半球状の突起４０８を更に含む前面シート４０６と、半球状突起の表面上に配置された前面透明電極層４１０と、前面電極層４１０の上に配置された誘電体層４１２と、を含む。図５Ａから図５Ｃに示される下部アセンブリ４０４は、バックプレーン４１４を有し、バックプレーン４１４は、背面電極として動作する上部電極層４１６を有する。電極層４１６は、薄膜トランジスタ（ＴＦＴ）アレイ、直接駆動アレイ、又は電極のパターン化アレイを含んでよい。図示されていないが、誘電体層は、任意選択で、背面電極に貼り付けられてよい。上部アセンブリ４０２と下部アセンブリ４０４との間に配置されたギャップ４１８に、低屈折率の液状媒体４１８が配置されてよい。媒体４１８は、第１の光学特性の、分散光を吸収する、負の電荷を帯びた複数の粒子４２０と、第２の光学特性の、分散光を吸収する、正の電荷を帯びた複数の粒子４２２と、を含む。光学特性が異なる粒子４２０、４２２は、有機材料、又は無機材料、又は有機材料と無機材料の組合せから作られてよい。粒子４２０、４２２は、外部電圧源（図示せず）によって媒体４１８全体に電界を印加することにより、電気泳動的に移動することが可能であってよい。光学特性が２つである粒子が示されているが、本開示の原理は、３つ以上（複数）の光学特性の粒子についても適用されてよく、本開示の実施形態は、光学特性が２つだけの粒子に限定されない。
【００４９】
例えば、図５Ａに描かれるように、前面電極層４１０に、正の電圧バイアス（例えば、＋１０Ｖ）が印加されると、第１の光学特性（例えば、赤）の、負の電荷を帯びた粒子４２０が、前面電極４１０及び誘電体層４１２に引き付けられる。この、複数の半球４０８の近くの場所では、ＴＩＲがフラストレートされて、相対反射率が低下する。第２の光学特性（例えば、黒）の、正の電荷を帯びた電気泳動可動粒子４２２が、−１０Ｖの電圧バイアスを有する背面電極層４１６に引き付けられ、背面電極層４１６に向かって移動する。その結果、ＴＩＲがフラストレートされ、入射光線、例えば、典型的な光線４２４が、前面誘電体層４１２にある負の電荷を帯びた粒子によって吸収される。これによって、画像ディスプレイは、負の電荷を帯びた粒子４２０の光学特性と同じ色（例えば、赤など）である、第１の光学状態になる。
【００５０】
図５Ｂは、０Ｖが印加されて、ディスプレイが高輝度又は白色の光学状態になる様子を描いたものである。印加電圧がゼロの場合、負の電荷を帯びた電気泳動可動粒子４２０が、複数の半球状突起４０８の表面の近くのエバネッセント波領域から実質的に遠ざかる。これにより、光線が全内部反射されて、画像ディスプレイが白色状態又は高輝度状態になることが可能である。このことは、入射光線４２６が全内部反射されて光線４２８となり、これが光源に向かって半再帰反射される形で示されている。更に、正の電荷を帯びた粒子４２２は、背面電極層４１６から遠ざけられる。この白色状態又は高輝度状態は、本明細書において既述の電圧パルス印加の後に、適切な電圧及び継続時間により粒子をエバネッセント波領域から出させることにより、維持可能である。
【００５１】
図５Ｃに示されるように、負の電圧バイアス、例えば、−１０Ｖを前面電極に印加すると、例えば、黒であって、負の電荷を帯びた粒子４２０の第１の光学特性とは異なる、第２の光学特性の、正の電荷を帯びた電気泳動可動粒子４２２が、前面電極４１０及び誘電体層４１２に引き付けられ、それらに向かって移動する。この場所では、正の電荷を帯びた粒子４２２は、複数の半球４０８の表面の近くにあって、それらの粒子はエバネッセント波領域に入る。その結果、ＴＩＲがフラストレートされ、入射光線、例えば、典型的な光線４３０が、前面誘電体層４１２にある、第２の光学特性の、正の電荷を帯びた粒子４２２によって吸収される。これによって、画像ディスプレイは第２の光学状態になり、これはディスプレイを見ているユーザには黒に見える。更に、負の電荷を帯びた粒子４２０は、背面電極層４１６に引き付けられる。図５Ａ及び図５Ｃに示されるように、非ゼロ電圧バイアス（例えば、＋１０Ｖ又は−１０Ｖ）を媒体４１８全体に印加すると、両粒子は前面電極層及び背面電極層に引き付けられる。この結果として、ＴＩＲがフラストレートされて多色反射画像ディスプレイが少なくとも３つの異なる色になるだけでなく、ディスプレイがＤＣ平衡になる可能性もある。このディスプレイ４００は、複数の色を表示することが可能であって、また、既存のＬＣＤ駆動用電子回路に適合することが可能である。
【００５２】
図５Ａから図５Ｃのディスプレイ４００は、正及び負の電荷を帯びた粒子の様々な光学状態の混合の結果として得られる様々なＤＣ平衡光学状態（即ち、色）を示すことも可能である。これは、電圧バイアスの連続体を印加することによって行われてよい。
【００５３】
他の実施形態では、図５に示された二粒子全内部反射画像ディスプレイ４００は更に、薄膜トランジスタ（ＴＦＴ）アレイ、或いは直接駆動アレイ又は電極のパターン化アレイを含んでよい。
【００５４】
別の実施形態では、図５に示された二粒子全内部反射画像ディスプレイ４００は更に、指向性前面照明を含んでよい。
【００５５】
別の実施形態では、図５に示された二粒子全内部反射画像ディスプレイ４００は更に、少なくとも１つのスペーサ構造物を含んでよい。
【００５６】
別の実施形態では、図５に示された二粒子全内部反射画像ディスプレイ４００は更に、横断壁を含んでよい。
【００５７】
別の実施形態では、図５に示された二粒子全内部反射画像ディスプレイ４００は更に、少なくとも１つのエッジ封止材を含んでよい。
【００５８】
他の実施形態では、ディスプレイ４００は更に、薄膜トランジスタアレイ、直接駆動アレイ、パターン化アレイ、指向性前面照明、少なくとも１つのスペーサ構造物又は横断壁、少なくとも１つのエッジ封止材、又はこれらの組合せの任意の組合せを含んでよい。
【００５９】
本明細書に記載のディスプレイの実施形態は、限定はされないが、電子書籍リーダー、ポータブルコンピュータ、タブレットコンピュータ、ウェアラブル、携帯電話、スマートカード、看板、時計、棚ラベル、フラッシュドライブ、及び屋外広告板又は屋外看板などの用途に使用されてよい。
【００６０】
図６は、本開示の実施形態による一例示的方法である。図６の実施形態は、図１及び図３から図５に関して開示されたようなディスプレイにおいて実施されてよい。図６の方法は、まずステップ６００で、第１の非ゼロ電圧を印加することにより、第１の電荷及び第１の光学特性を有する、複数の第１の電気泳動帯電粒子を、ディスプレイの前面シートの表面に引き付けて、暗い状態を形成する。
【００６１】
ステップ６１０では、実質的にゼロの電圧又は電圧パルスを印加することにより、第１の電荷及び第１の光学特性を有する、第１の複数の電気泳動帯電粒子と、第２の電荷及び第１の光学特性を有する、複数の第２の電気泳動帯電粒子とを、ディスプレイの前面シートの表面から遠ざけて、明るい状態を形成する。第１の粒子と第２の粒子は別物であってよく、或いは、第１の粒子と第２の粒子は、実質的に同じ粒子を意味してもよい。一代替実施形態では、ステップ６１０は、実質的にゼロの電圧又は電圧パルスを印加することにより、第１の電荷及び第１の光学特性を有する、第１の複数の電気泳動帯電粒子と、反対の電荷及び第２の光学特性を有する、複数の第２の電気泳動帯電粒子とを、ディスプレイの前面シートの表面から遠ざけて、明るい状態を形成するステップを含んでよい。
【００６２】
ステップ６２０では、第２の非ゼロ電圧を印加することにより、第２の電荷及び第１の光学特性を有する、第２の複数の電気泳動帯電粒子を、ディスプレイの前面シートの表面に引き付けて、暗い状態を形成する。一代替実施形態では、ステップ６２０は、第２の非ゼロ電圧を印加することにより、第２の電荷及び第１の光学特性を有する、第２の複数の電気泳動帯電粒子を、ディスプレイの前面シートの表面に引き付けて、暗い状態を形成するステップを含んでよい。
【００６３】
以下の非限定的な実施形態は、本開示の実施形態の更なる説明である。実施例１の対象は、全内部反射（ＴＩＲ）画像ディスプレイであって、このディスプレイは、前面シートと、前面電極と、誘電体層と、を有する前面アセンブリであって、前面電極は、前面シートと誘電体層との間に配置され、前面シートは更に、少なくとも１つの凸状突起を含む、前面アセンブリと、前面アセンブリとともにギャップを形成する背面アセンブリであって、バックプレーン及び背面電極を有し、背面電極は誘電体層と対向して配置される、背面アセンブリと、ギャップ内にある低屈折率媒体と、低屈折率媒体内に分散した、正の電荷を帯びた複数の電気泳動可動粒子と、負の電荷を帯びた複数の電気泳動可動粒子と、を含む。
【００６４】
実施例２の対象は、実施例１のディスプレイであって、背面電極が更に、薄膜トランジスタアレイ、直接駆動アレイ、又は電極のパターン化アレイ、又はこれらの組合せを含む。
【００６５】
実施例３の対象は、実施例２のディスプレイであって、横断壁を更に含む。
【００６６】
実施例４の対象は、実施例１〜３のいずれかのディスプレイであって、スペーサ構造物を更に含む。
【００６７】
実施例５の対象は、実施例１〜４のいずれかのディスプレイであって、背面アセンブリが更に、背面電極上に誘電体層を含む。
【００６８】
実施例６の対象は、実施例１〜５のいずれかのディスプレイであって、指向性前面照明を更に含む。
【００６９】
実施例７の対象は、実施例１〜６のいずれかのディスプレイであって、色フィルタ層を更に含む。
【００７０】
実施例８の対象は、実施例１〜７のいずれかのディスプレイであって、エッジ封止材を更に含む。
【００７１】
実施例９の対象は、実施例１〜８のいずれかのディスプレイであって、横断壁とエッジ封止材と指向性前面照明とを更に含む。
【００７２】
実施例１０の対象は、実施例１〜９のいずれかのディスプレイであって、凸状部分は半球状構造を画定する。
【００７３】
実施例１１の対象は、実施例１〜１０のいずれかのディスプレイであって、凸状部分は、複数の、負又は正の電荷を帯びた粒子を均一に分散させるように構成された構造を画定する。
【００７４】
実施例１２の対象は、実施例１〜１１のいずれかのディスプレイであって、正の電荷を帯びた複数の電気泳動可動粒子は第１の光学特性を有し、負の電荷を帯びた複数の電気泳動可動粒子は第２の光学特性を有する。
【００７５】
実施例１３の対象は、実施例１〜１２のいずれかのディスプレイであって、横断壁を更に含む。
【００７６】
実施例１４の対象は、実施例１〜１３のいずれかのディスプレイであって、スペーサ構造物を更に含む。
【００７７】
実施例１５の対象は、実施例１〜１４のいずれかのディスプレイであって、背面アセンブリは更に、背面電極上に誘電体層を含む。
【００７８】
実施例１６の対象は、実施例１〜１５のいずれかのディスプレイであって、指向性前面照明を更に含む。
【００７９】
実施例１７の対象は、実施例１〜１６のいずれかのディスプレイであって、スペーサ構造物とエッジ封止材と指向性前面照明とを更に含む。
【００８０】
実施例１８の対象は、実施例１〜１７のいずれかのディスプレイであって、横断壁とエッジ封止材と指向性前面照明とを更に含む。
【００８１】
実施例１９の対象は、全内部反射画像ディスプレイを暗い状態から明るい状態に切り替える方法であって、この方法は、第１の非ゼロ電圧を印加することにより、第１の電荷及び第１の光学特性を有する、複数の第１の電気泳動帯電粒子を、ディスプレイの前面シートの表面に引き付けて、暗い状態を形成するステップと、実質的にゼロの電圧又は電圧パルスを印加することにより、第１の電荷及び第１の光学特性を有する、第１の複数の電気泳動帯電粒子と、第２の電荷及び第１の光学特性を有する、複数の第２の電気泳動帯電粒子とを、ディスプレイの前面シートの表面から遠ざけて、明るい状態を形成するステップと、第２の非ゼロ電圧を印加することにより、第２の電荷及び第１の光学特性を有する、第２の複数の電気泳動帯電粒子を、ディスプレイの前面シートの表面に引き付けて、暗い状態を形成するステップと、を含む。
【００８２】
実施例２０の対象は、全内部反射画像ディスプレイを第１の光学状態から明るい状態に切り替え、第２の光学状態に切り替える方法であって、この方法は、第１の非ゼロ電圧を印加することにより、第１の電荷及び第１の光学特性を有する、第１の複数の電気泳動帯電粒子を、ディスプレイの前面シートの表面に引き付けて、第１の光学状態を形成するステップと、実質的にゼロの電圧又は電圧パルスを印加することにより、第１の電荷及び第１の光学特性を有する、第１の複数の電気泳動帯電粒子と、反対の電荷及び第２の光学特性を有する、複数の第２の電気泳動帯電粒子とを、ディスプレイの前面シートの表面から遠ざけて、明るい状態を形成するステップと、第２の非ゼロ電圧を印加することにより、第２の電荷及び第２の光学特性を有する、複数の電気泳動帯電粒子を、ディスプレイの前面シートの表面に引き付けて、第２の光学状態を形成するステップと、を含む。
【００８３】
本明細書において示した各例示的実施形態に関して本開示の原理を説明してきたが、本開示の原理はこれらに限定されず、それらに対するあらゆる修正形態、変形形態、又は置換形態を包含する。
【図１Ａ−Ｃ】
0006688229.tif 000002
【図２】
0006688229.tif 000003
【図３】
0006688229.tif 000004
【図４】
0006688229.tif 000005
【図５Ａ−Ｃ】
0006688229.tif 000006
【図６】
0006688229.tif 000007